(57)【要約】【課題】  本発明は、携帯電話，バッグなどの携行品にアクセサリーように吊下げ取付けして簡易なメモ用紙として使用することのできるストラップ付のメモ用ブックを新規に提供するものである。【解決手段】  本発明は、携帯電話器，バッグなどの携行品に吊り下げするストラップ付のメモ用ブックであって。該メモ用ブックはホックまたは磁力またはバネにて展開自在に合わせ閉じする２つ折りタイプの装飾カバーと該装飾カバー内に一枚づつの剥がし取りと貼着を可能とする多数枚のメモ用紙を重ね付けして構成するようにしたことを特徴とするストラップ付のメモ用ブックにある。【選択図】  図２
2009095397.tif 000002
【特許請求の範囲】
【請求項１】
携帯電話器，バッグなどの携行品に吊り下げするストラップ付のメモ用ブックであって。該メモ用ブックはホックまたは磁力またはバネにて展開自在に合わせ閉じする２つ折りタイプの装飾カバーと該装飾カバー内に一枚づつの剥がし取りと貼着を可能とする多数枚のメモ用紙を重ね付けして構成するようにしたことを特徴とするストラップ付のメモ用ブック。
【請求項２】
装飾カバーは一面にモバイルクリーナーを設ける請求項１に記載のストラップ付のメモ用ブック。
【請求項３】
ストラップを１ｍ程度まで伸張可能とする請求項１または２に記載のストラップ付のメモ用ブック。
【発明の詳細な説明】
【技術分野】
【０００１】
この発明はストラップ付のメモ用ブック、詳しくは携帯電話器，バッグなどの携行品にアクセサリーように吊下げてメモに使用することのできるメモ用ブックに関するものである。
【背景技術】
【０００２】
この種の従来技術としては特開２００２−１７４２５号公報がある。該公報は携帯電話器に円柱形，角筒形の中空室を有すケース付のストラップを吊り下げて、該ケースの中に筆記具，メモ用紙を入れることを記載している。
【特許文献１】特開２００２−１７４２５号公報
【発明の開示】
【発明が解決しようとする課題】
【０００３】
しかしながら、該公報は携帯電話器に吊り下げたケース中にメモ用紙を入れているので、通話中にメモをとるとすると、ケースの中からメモ用紙を取り出さねばならず、しかもメモ用紙は丸まっていて安定しないのでメモがとりずらく、さらにメモ用紙が少ないためにしばしばメモ用紙切れが生ずるという課題がある。
【課題を解決するための手段】
【０００４】
本発明は、携帯電話器，バッグなどの携行品に吊り下げするストラップ付のメモ用ブックであって、該メモ用ブックはホックまたは磁力またはバネにて展開自在に合わせ閉じする２つ折りタイプの装飾カバーと該装飾カバー内に一枚づつの剥がし取りと貼着を可能とする多数枚のメモ用紙を重ね付けして構成して、かかる課題を解消し、さらにモバイルクリーナーを設けて、携帯電話器の表示画面等のクリーニングもできるようにして実用性を強化するようにしたのである。
【発明の効果】
【０００５】
本発明は、携帯電話器，バッグなどの携行品に装飾を兼ねたメモ用ブックを吊り下げ取付けすることによって、携帯電話の通話中などに該ブックを開いて容易にメモを取ることができるという効果を生ずる。
【０００６】
メモ用紙は一枚づつ剥がし取りと貼着を可能としたのでメモがとりやすく且つ保存もしやすくて便利であり、しかも多数枚を重ね付けしているので、長期に亘って用紙切れが生じないという効果を生ずる。
【０００７】
装飾カバーの一面にモバイルクリーナーを貼付けるときは携帯電話器の表示画面等を容易に清掃することができるという効果を生ずる。
【０００８】
ストラップを伸張することでメモ用ブックを卓上等に乗せて安定させてそのままメモをとることができ、また自由な位置で容易にメモ用紙を剥がし取って使用することができ、またモバイルクリーナーによる清掃もしやすいものになるという効果を生ずる。
【０００９】
装飾カバーは文字通り美装することで携帯電話器，バッグなどの携行品に好ましいアクセサリー効果をもたらすという効果を生ずる。
【発明を実施するための最良の形態】
【００１０】
本発明は、携帯電話器，バッグなどの携行品に小型のメモ用ブックを吊り下げて、携帯電話の通話中などに咄嗟にメモがとれるようにしたもので、メモ用紙を一枚づつ剥がし取り可能に多数枚重ね付けして、メモ用紙切れが生じないようにするとともに、剥がしたメモ用紙を適所に貼着し安定させてメモすることもでき、メモした用紙は手帳，机などに貼着して保存し、あるいは伝言用メモとして使用することができる。メモ用紙を挟む表裏のカバーに装飾を施してアクセサリー効果を高めて構成するのである。
【実施例１】
【００１１】
図１乃至図２は携帯電話器Ｋに吊り下げるストラップ付のメモ用ブックの第１実施例を示すものであって、表，裏の外面をカラー写真などのプリント装飾面１ａ，１ｂとする２つ折りタイプの装飾カバー２と、該カバー２内に一枚づつ剥がし取り可能とする多数枚のメモ用紙３を重ね付けしてなる。メモ用紙３は繰返し貼着することのできる裏面の接着層３ａを利用してどこにでも貼着することができるものである。メモ用紙３は最終頁を装飾カバー２の裏表紙の内面に貼着して全体が抜出さないようにする。４はホック５ａ，５ｂ止めするバンド、６はストラップである。なお、ホック５ａ，５ｂ止めにかえて、装飾カバー２に取付けた磁石による磁着閉じ、バネ爪による挟み止め等にて置きかえることもできる。このようにしてストラップ６付のメモ用ブック７を構成するのである。
【００１２】
通話中などにメモをとるときは、ホック５ａ，５ｂをはずし装飾カバー２を開いてメモ用紙３を表出してそのままメモするか、一枚を剥がし取り、手腕，バッグ，卓上，壁面などの書きやすい場所に貼着し安定させてメモするのである。貼着によってずれ動かないのでメモしやすいものとなる。メモした用紙３は手帳，ファイルなどに貼着して保存したり、卓上，パソコンの端などに貼って伝言用メモとすることができる。一枚づつ剥がし取ることで常に白紙のメモ用紙３が一面に表出して咄嗟のメモどりをしやすいものにする。メモ用紙３は常態では装飾カバー２にて覆われているので汚れたり折れたりすることはない。メモ用紙３がなくなったときは新しいメモ用紙３の束を補充するのである。
【００１３】
なお、装飾カバー２の背部２ａに装飾カバー２を開いて定点を越えると展開し、閉じて該定点を過ぎると閉じ付勢するアクセサリーケースの蓋などに用いられている付勢圧手段を設けることで、開いたときに戻り閉じ圧がかからないようにしてメモをとりやすくすることと、メモどりしない時は２つ折り状態を保って整容させるようにすることもできる。
【実施例２】
【００１４】
図３はストラップ６が伸びるようにした第２実施例を示すもので、常態で長いストラップを短く巻き取り収納するバネ付勢のリールストラップ６ａを用いるなどして１ｍ程度まで任意の長さに伸ばすことができるようにしたのである。リールストラップ６ａを伸張することで、通話をしながらメモ用ブック７を卓上などに乗せて安定させてメモどりすることができることとなる。メモどりを終えたら元の短い状態に戻すのである。リールストラップ６ａが長く伸びることで、メモ用紙３の剥がし取りの操作も自由な位置でしやすいものとなる。リールストラップ６ａは伸張した任意の長さで固定するストッパー機能を備えるものもある。
【実施例３】
【００１５】
図４は第３実施例であって、装飾カバー２の裏表紙のプリント装飾面１ｂをモバイルクリーナー８の貼付けにて置きかえたものである。モバイルクリーナー８は起毛綿布，ポリエステル等の合成繊維，紙繊維などにて織成された布（ワイピングクロス）で構成され、ガラス，プラスチックなどについた汚れをきれいに拭きとることができるもので、これによって携帯電話器Ｋの表示画面Ｋ１、ダイアルボタンＫ２のほか、携帯用の鏡なども常に汚れのないきれいな状態にて保つことができることとなる。ストラップ６を少し長めにし、または図５に示すように伸縮ゴム製６ｂとするか、前記のリールストラップ６ａを用いることで表示画面Ｋ１などのクリーニングをしやすいようにする。モバイルクリーナー８は数枚を重ね付けして、汚れたら剥がし捨てて新しいモバイルクリーナー８の面を表出するようにすることもできる。
【産業上の利用可能性】
【００１６】
本発明のストラップ付のメモ用ブックは、携帯電話器，バッグ等の携行品にアクセサリー効果をもって吊下げする簡易なメモ用紙として広く利用することができるものである。
【図面の簡単な説明】
【００１７】
【図１】携帯電話器にメモ用ブックを吊下げ取付けした状態を示す正面図
【図２】装飾カバーを展開した状態の正面図とプリント装飾面を示す背面図
【図３】リールストラップにて携帯電話器に取付けした例を示す正面図
【図４】裏のプリント装飾面にかえてモバイルクリーナーを貼付けた例を示す展開背面図
【図５】ストラップを伸縮ゴム製にした例を示す正面図
【符号の説明】
【００１８】
１ａ，１ｂはプリント装飾面
２は装飾カバー
２ａは背部
３はメモ用紙
３ａは接着層
４はバンド
５ａ，５ｂはホック
６はストラップ
６ａはリールストラップ
７はメモ用ブック
８はモバイルクリーナー
Ｋは携帯電話器
Ｋ１は表示画面
Ｋ２はダイアルボタン
【図１】
2009095397.tif 000003
【図２】
2009095397.tif 000004
【図３】
2009095397.tif 000005
【図４】
2009095397.tif 000006
【図５】
2009095397.tif 000007